(57)【要約】  蓄電素子及び電源関連装置の状態を視覚的に容易に把握することを可能とする情報処理装置、情報処理システム、情報処理方法及びコンピュータプログラムを提供する。情報処理装置は、前記蓄電素子の状態を含む情報を通信により取得する取得部と、取得した情報を、前記蓄電素子を識別する情報と対応付けて記憶媒体に記憶する記憶処理部と、前記記憶媒体に記憶してある情報に基づいて、前記蓄電素子を含むシステム、又は前記蓄電素子が設置されている場所の画像と、該画像における前記蓄電素子が写っている位置、又は描かれている位置に重畳された前記蓄電素子の状態を示すグラフィックと、を含む状態画面の画面情報を送信する送信処理部とを備え、前記状態画面は、前記蓄電素子の階層構造に対応して遷移する複数の画面を含む。
2020189499.tif 000002
【特許請求の範囲】
【請求項１】
複数の蓄電セルを含むモジュールを複数接続して構成された蓄電素子の情報を、外部からの要求に応じて、又はイベントとして、送信する情報処理装置であって、
前記蓄電素子の状態を含む情報を通信により取得する取得部と、
取得した情報を、前記蓄電素子を識別する情報と対応付けて記憶媒体に記憶する記憶処理部と、
前記記憶媒体に記憶してある情報に基づいて、前記蓄電素子を含むシステム、又は前記蓄電素子が設置されている場所の画像と、該画像における前記蓄電素子が写っている位置、又は描かれている位置に重畳されており、前記蓄電素子の状態を示すグラフィックと、を含む状態画面の画面情報を送信する送信処理部と
を備え、
前記状態画面は、前記蓄電素子の階層構造に対応して遷移する複数の画面を含む
情報処理装置。
【請求項２】
前記グラフィックは、前記システム又は場所における蓄電素子の状態に対応する色、形、又はイラストを含む
請求項１に記載の情報処理装置。
【請求項３】
前記状態画面における前記蓄電素子が写っている位置、又は、描かれている位置は、画像毎に、画像内の相対位置で記憶してある
請求項１又は請求項２に記載の情報処理装置。
【請求項４】
複数の蓄電セルを含むモジュールを複数接続して構成された蓄電素子に接続、又は搭載されている通信デバイスと、該通信デバイスと通信接続が可能な情報処理装置とを含み、
該情報処理装置は、
前記蓄電素子の状態を含む情報を通信により取得する取得部と、
取得した情報を、前記蓄電素子を識別する情報と対応付けて記憶媒体に記憶する記憶処理部と、
前記記憶媒体に記憶してある情報に基づいて、前記蓄電素子を含むシステム、又は前記蓄電素子が設置されている場所の画像と、該画像における前記蓄電素子が写っている位置、又は描かれている位置に重畳されており、前記蓄電素子の状態を示すグラフィックと、を含む状態画面の画面情報を送信する送信処理部と
を備え、
前記状態画面は、前記蓄電素子の階層構造に対応して遷移する複数の画面を含む
情報処理システム。
【請求項５】
複数の蓄電セルを含むモジュールを複数接続して構成された蓄電素子の情報を、情報処理装置が要求に応じて、又はイベントとして、送信する情報処理方法であって、
前記蓄電素子に接続又は搭載されている通信デバイスを用いて、前記蓄電素子の状態を含む情報を通信により取得し、
取得した情報を、前記蓄電素子を識別する情報と対応付けて記憶媒体に記憶し、
前記蓄電素子を含むシステム、又は前記蓄電素子が設置されている場所の画像と、該画像における前記蓄電素子が写っている位置、又は描かれている位置に重畳されており、記憶してある情報に基づいた前記蓄電素子の状態を示すグラフィックと、を含み、蓄電素子の階層構造に対応して遷移する複数の画面を有する状態画面の画面情報を送信する
情報処理方法。
【請求項６】
表示部を備えるコンピュータに、複数の蓄電セルを含むモジュールを複数接続して構成された蓄電素子の情報を表示させるコンピュータプログラムであって、
前記コンピュータに、
前記蓄電素子の情報を、該蓄電素子を含むシステム毎、又は前記蓄電素子が設置されている場所毎に、要求するステップ、及び
要求に応じて送信された前記システム又は場所における蓄電素子の階層構造に対応して遷移する複数の画面を含み、各画面に含まれる前記蓄電素子を含むシステム、又は前記蓄電素子が設置されている場所の画像と、該画像における前記蓄電素子が写っている位置、又は描かれている位置に重畳されており、前記蓄電素子の状態を示すグラフィックとを含む状態画面の画面情報に基づき、前記状態画面を前記表示部に表示するステップ
を実行させるコンピュータプログラム。
【請求項７】
蓄電素子及び／又は電源関連装置の情報を、外部からの要求に応じて、又はイベントとして、送信する情報処理装置であって、
前記蓄電素子又は前記電源関連装置の状態を含む情報を通信により取得する取得部と、
取得した情報を、前記蓄電素子又は前記電源関連装置を識別する情報と対応付けて記憶媒体に記憶する記憶処理部と、
前記記憶媒体に記憶してある情報に基づいて、前記蓄電素子若しくは前記電源関連装置を含むシステム、又は、前記蓄電素子若しくは前記電源関連装置が設置されている場所の画像と、該画像における前記蓄電素子若しくは電源関連装置が写っている位置、又は描かれている位置に重畳されており、前記蓄電素子若しくは電源関連装置の状態を表すグラフィックと、を含む状態画面の画面情報を送信する送信処理部と
を備える情報処理装置。
【請求項８】
前記画像は、前記システム又は場所における前記蓄電素子若しくは前記電源関連装置を俯瞰又は鳥瞰して撮影した写真画像である
請求項７に記載の情報処理装置。
【請求項９】
前記画像は、前記システム又は場所における前記蓄電素子若しくは前記電源関連装置を俯瞰又は鳥瞰する平面図又は斜視図である
請求項７に記載の情報処理装置。
【請求項１０】
蓄電素子及び／又は電源関連装置に接続又は搭載されている通信デバイスと、該通信デバイスと通信接続が可能な情報処理装置とを含み、
該情報処理装置は、
前記蓄電素子又は前記電源関連装置の状態を含む情報を、前記通信デバイスを介して取得する取得部と、
取得した情報を、前記蓄電素子又は前記電源関連装置を識別する情報と対応付けて記憶媒体に記憶する記憶処理部と、
要求に応じて、又はイベントとして、前記記憶媒体に記憶してある情報に基づき、前記蓄電素子若しくは前記電源関連装置を含むシステム、又は、前記蓄電素子若しくは前記電源関連装置が設置されている場所の画像と、該画像における前記蓄電素子若しくは前記電源関連装置が写っている位置、又は描かれている位置に重畳されており、前記蓄電素子若しくは前記電源関連装置の状態を表すグラフィックと、を含む状態画面の画面情報を送信する送信処理部と
を備える情報処理システム。
【請求項１１】
蓄電素子又は電源関連装置の情報を、情報処理装置が要求に応じて、又はイベントとして、送信する情報処理方法であって、
前記蓄電素子又は前記電源関連装置に接続又は搭載されている通信デバイスを用いて、前記蓄電素子又は前記電源関連装置の状態を含む情報を通信により取得し、
取得した情報を、前記蓄電素子又は前記電源関連装置を識別する情報と対応付けて記憶媒体に記憶し、
前記記憶媒体に記憶してある情報に基づき、前記蓄電素子若しくは前記電源関連装置を含むシステム、又は、前記蓄電素子若しくは前記電源関連装置が設置されている場所の画像と、該画像における前記蓄電素子若しくは前記電源関連装置が写っている位置、又は描かれている位置に重畳されており、前記蓄電素子若しくは前記電源関連装置の状態を表すグラフィックと、を含む状態画面の画面情報を送信する
情報処理方法。
【請求項１２】
表示部を備えるコンピュータに、蓄電素子又は電源関連装置の情報を表示させるコンピュータプログラムであって、
前記コンピュータに、
前記蓄電素子又は前期電源関連装置の情報を、前記蓄電素子若しくは前記電源関連装置を含むシステム毎、又は前記蓄電素子若しくは前記電源関連装置が設置されている場所毎に、要求するステップ、及び
要求に応じて送信され、前記システム又は場所の画像と、該画像における前記蓄電素子若しくは前記電源関連装置が写っている位置、又は描かれている位置に重畳されており、前記蓄電素子若しくは前記電源関連装置の状態を表すグラフィックと、を含む状態画面の画面情報に基づき、前記状態画面を前記表示部に表示するステップ
を実行させるコンピュータプログラム。
【発明の詳細な説明】
【技術分野】
【０００１】
本発明は、蓄電素子及び／又は電源関連装置の情報を提示する情報処理装置、情報処理システム、情報処理方法及びコンピュータプログラムに関する。
【背景技術】
【０００２】
蓄電素子は、無停電電源装置、安定化電源に含まれる直流又は交流電源装置等に広く使用されている。また、再生可能エネルギー又は既存の発電システムにて発電された電力を蓄電しておく大規模なシステムでの蓄電素子の利用が拡大している。【０００３】
蓄電素子を使用したシステムでは、蓄電素子の状態診断、充電状態（ＳＯＣ）の推定、又は寿命予測等の実施を含む保守活動が重要になる。これらのシステムに含まれる蓄電素子のＳＯＣ、又は寿命予測の情報について、サーバ装置経由で、蓄電素子のユーザ又は保守担当者が遠隔から取得することを可能とする技術が提案されている。
【先行技術文献】
【特許文献】
【０００４】
【特許文献１】特開２０１５−１２１５２０号公報
【発明の概要】
【発明が解決しようとする課題】
【０００５】
鉛蓄電池又はリチウムイオン電池のような蓄電素子は、車載用途（自動車用途、自動二輪車用途）以外の産業用途に適用される場面が増加している。例えば、太陽光発電システムに蓄電素子が並設されることがある。この場合、蓄電素子はパワーコンディショナと接続される。メガソーラーと呼ばれる大規模な太陽光発電システムでは、非常に多くの蓄電素子及びパワーコンディショナが設置されて利用される。工場又は大規模施設における電力ピークカットを実現する場合にも、非常に多くの蓄電素子及びパワーコンディショナが設置されて利用される。鉄道用途においても、非常に多くの蓄電素子と直流又は交流電源装置である整流器とが設置されて利用される。従来の保守支援システムでは、分散電源システム又は事業主体にこのように多くの蓄電素子と電源関連装置が設置されるケースを想定していない。【０００６】
ＩｏＴ（Internet of Things）の社会への浸透と平行して、蓄電素子及び電源関連装置の遠隔監視の実現とそれによる付加価値サービスの実現に対する期待が高まっている。【０００７】
本発明は、蓄電素子及び／又は電源関連装置の状態を視覚的に容易に把握することを可能とする情報処理装置、情報処理システム、情報処理方法及びコンピュータプログラムを提供することを目的とする。
【課題を解決するための手段】
【０００８】
本発明の一局面に係る情報処理装置は、複数の蓄電セルを含むモジュールを複数接続して構成された蓄電素子の情報を、外部からの要求に応じて、又はイベントとして、送信する。情報処理装置は、前記蓄電素子の状態を含む情報を通信により取得する取得部と、取得した情報を、前記蓄電素子を識別する情報と対応付けて記憶媒体に記憶する記憶処理部と、前記記憶媒体に記憶してある情報を、前記蓄電素子を含むシステム毎、又は前記蓄電素子が設置されている場所毎に、前記システム又は場所における蓄電素子の状態を示すグラフィックを含む状態画面の画面情報を送信する送信処理部とを備え、前記状態画面は、前記蓄電素子の階層構造に対応して遷移する複数の画面を含む。
本発明の他の局面に係る情報処理装置は、蓄電素子及び／又は電源関連装置の情報を、外部からの要求に応じて、又はイベントとして、送信する。情報処理装置は、前記蓄電素子又は前記電源関連装置の状態を含む情報を通信により取得する取得部と、取得した情報を、前記蓄電素子又は前記電源関連装置を識別する情報と対応付けて記憶媒体に記憶する記憶処理部と、前記記憶媒体に記憶してある情報に基づいて、前記蓄電素子若しくは前記電源関連装置を含むシステム、又は、前記蓄電素子若しくは前記電源関連装置が設置されている場所の画像と、該画像における前記蓄電素子若しくは電源関連装置が写っている位置、又は描かれている位置に重畳されており、前記蓄電素子若しくは電源関連装置の状態を表すグラフィックと、を含む状態画面の画面情報を送信する送信処理部とを備える。
【図面の簡単な説明】
【０００９】
【図１】遠隔監視システムの概要を示す図である。
【図２】蓄電モジュール群の階層構造及び通信デバイスの接続形態の例を示す図である。
【図３】遠隔監視システムに含まれる装置の内部構成を示すブロック図である。
【図４】サーバ装置における情報提示の処理手順の例を示すフローチャートである。
【図５】サーバ装置からクライアント装置への情報提示の処理手順の例を示すフローチャートである。
【図６】サーバ装置からクライアント装置への情報提示の処理手順の例を示すフローチャートである。
【図７】画面情報に基づき表示される画面の例を示す図である。
【図８】画面情報に基づき表示される画面の例を示す図である。
【図９】画面情報に基づき表示される画面の例を示す図である。
【図１０】画面情報に基づき表示される画面の例を示す図である。
【図１１】画面情報に基づき表示される画面の例を示す図である。
【図１２】画面情報に基づき表示される画面の例を示す図である。
【図１３】画面情報に基づき表示される画面の例を示す図である。
【図１４】画面情報に基づき表示される画面の例を示す図である。
【図１５】画面情報に基づき表示される画面の例を示す図である。
【図１６】画面情報に基づき表示される画面の例を示す図である。
【図１７】画面情報に基づき表示される画面の例を示す図である。
【図１８】画面情報に基づき表示される画面の例を示す図である。
【図１９】画面情報に基づき表示される画面の例を示す図である。
【図２０】画面情報に基づき表示される画面の例を示す図である。
【図２１】画面情報に基づき表示される画面の例を示す図である。
【発明を実施するための形態】
【００１０】
情報処理装置は、複数の蓄電セルを含むモジュールを複数接続して構成された蓄電素子の情報を、外部からの要求に応じて、又はイベントとして、送信する。情報処理装置は、前記蓄電素子の状態を含む情報を通信により取得する取得部と、取得した情報を、前記蓄電素子を識別する情報と対応付けて記憶媒体に記憶する記憶処理部と、前記記憶媒体に記憶してある情報に基づいて、前記蓄電素子を含むシステム、又は前記蓄電素子が設置されている場所の画像と、該画像における前記蓄電素子が写っている位置、又は描かれている位置に重畳されており、前記蓄電素子の状態を示すグラフィックと、を含む状態画面の画面情報を送信する送信処理部とを備える。前記状態画面は、前記蓄電素子の階層構造に対応して遷移する複数の画面を含む。該画面はいずれも、前記蓄電素子が階層に応じて写っている画像又は描かれている画像を含んでもよい。
情報処理装置は、蓄電素子及び／又は電源関連装置の情報を、外部からの要求に応じて、又はイベントとして、送信する。情報処理装置は、前記蓄電素子又は前記電源関連装置の状態を含む情報を通信により取得する取得部と、取得した情報を、前記蓄電素子又は前記電源関連装置を識別する情報と対応付けて記憶媒体に記憶する記憶処理部と、前記記憶媒体に記憶してある情報に基づいて、前記蓄電素子若しくは前記電源関連装置を含むシステム、又は、前記蓄電素子若しくは前記電源関連装置が設置されている場所の画像と、該画像における前記蓄電素子若しくは電源関連装置が写っている位置、又は描かれている位置に重畳されており、前記蓄電素子若しくは電源関連装置の状態を表すグラフィックと、を含む状態画面の画面情報を送信する送信処理部とを備える。
【００１１】
どのような範囲の蓄電素子の情報を一括表示させるか（例えば、工場エリア毎、オフィス毎、事業拠点毎、又は事業主体毎など）は、オペレータなど人手によって設定可能であってもよく、自動的に設定されてもよい。
状態画面には、システム毎又は場所毎の蓄電素子及び／又は電源関連装置を俯瞰又は鳥瞰して撮影した写真画像を含んでよい。俯瞰又は鳥瞰して撮影した撮影画像は、蓄電素子及び／又は電源関連装置が設置されている施設や建物を高い場所から撮影した写真画像であってもよく、衛星写真の写真画像を用いてよい。状態画面に、写真画像に代えて又は写真画像に加えて、建物や設備を表すイラスト、平面図又は斜視図を含んでもよい。
【００１２】
上記構成により、特に大規模なシステムで利用される非常に多くの蓄電素子を階層構造で含むシステム又は場所全体の状態を含む情報を、その蓄電素子又は電源関連装置の位置と共に、視覚から直感的に把握できる。状態画面は、階層構造に応じて全体から一部へ、一部から更に詳細な一部へと遷移するようにしてある。各画面には蓄電素子のシステムの画像を含み、蓄電素子がシステム内のどこに存在しているかが示される。オペレータは、例えば個々の蓄電素子のＳＯＣを夫々チェックする必要なしに、システムが問題なく運用されていることを状態画面のグラフィックで視覚的に確認できる。またオペレータは、システム内で蓄電素子がどのような階層構造を、どのような位置関係で有しているかを画面遷移によって直感的に把握できる。これによりシステムの運用性を高めることができる。蓄電素子に問題が発生した場合にオペレータは、階層構造に応じて遷移する画面によって、いずれの階層での処置が適切かを視覚的に把握できる。したがって保守担当者はいずれの階層の、いずれの場所の蓄電素子又は電源関連装置を保守点検すべきか、迷うことが減り、保守担当者による対処を効率化できる。
【００１３】
前記グラフィックは、状態に対応する色、形、又はイラストを含んでもよい。
【００１４】
上記構成により、オペレータは、各蓄電素子の状態、若しくは、各電源関連装置の状態、例えばＳＯＣをチェックする必要なしに、グラフィックの色、形、又はイラストによってシステム全体として、又は任意の単位毎に、状態を視覚的に確認できる。これによりシステムの運用性を高めることができる。グラフィックの、画像に対する重畳位置及びグラフィックの態様によって、蓄電素子のいずれの階層に対しても、いずれの場所で、どのような問題が発生しているかをオペレータが早急に把握でき、保守担当者の保守作業を効率化できる。
【００１５】
前記状態画面における前記蓄電素子若しくは電源関連装置が写っている位置、又は、描かれている位置は、画像毎に画像内の相対位置で記憶してあってもよい。
【００１６】
上記構成により、蓄電素子又は電源関連装置を示す建物又は施設を表す画像の拡縮に応じて、グラフィックの表示位置を適切に移動させることができる。遠隔から状態を確認するオペレータは、適当な縮尺で視覚的に、蓄電システムが全体として問題なく運用されているかを把握できる。
【００１７】
情報処理システムは、複数の蓄電セルを含むモジュールを複数接続して構成された蓄電素子に接続、又は搭載されている通信デバイスと、該通信デバイスと通信接続が可能な情報処理装置とを含み、該情報処理装置は、前記蓄電素子の状態を含む情報を通信により取得する取得部と、取得した情報を、前記蓄電素子を識別する情報と対応付けて記憶媒体に記憶する記憶処理部と、前記記憶媒体に記憶してある情報に基づいて、前記蓄電素子を含むシステム、又は前記蓄電素子が設置されている場所の画像と、該画像における前記蓄電素子が写っている位置、又は描かれている位置に重畳されており、前記蓄電素子の状態を示すグラフィックと、を含む状態画面の画面情報を送信する送信処理部とを備え、前記状態画面は、前記蓄電素子の階層構造に対応して遷移する複数の画面を含む。
情報処理システムは、蓄電素子及び／又は電源関連装置に接続又は搭載されている通信デバイスと、該通信デバイスと通信接続が可能な情報処理装置とを含み、該情報処理装置は、前記蓄電素子又は前記電源関連装置の状態を含む情報を、前記通信デバイスを介して取得する取得部と、取得した情報を、前記蓄電素子又は前記電源関連装置を識別する情報と対応付けて記憶媒体に記憶する記憶処理部と、要求に応じて、又はイベントとして、前記記憶媒体に記憶してある情報に基づき、前記蓄電素子若しくは前記電源関連装置を含むシステム、又は、前記蓄電素子若しくは前記電源関連装置が設置されている場所の画像と、該画像における前記蓄電素子若しくは前記電源関連装置が写っている位置、又は描かれている位置に重畳されており、前記蓄電素子若しくは前記電源関連装置の状態を表すグラフィックと、を含む状態画面の画面情報を送信する送信処理部とを備える。
【００１８】
情報処理方法は、複数の蓄電セルを含むモジュールを複数接続して構成された蓄電素子の情報を、情報処理装置が要求に応じて、又はイベントとして、送信する。情報処理方法は、前記蓄電素子に接続又は搭載されている通信デバイスを用いて、前記蓄電素子の状態を含む情報を通信により取得し、取得した情報を、前記蓄電素子を識別する情報と対応付けて記憶媒体に記憶し、前記蓄電素子を含むシステム、又は前記蓄電素子が設置されている場所の画像と、該画像における前記蓄電素子が写っている位置、又は描かれている位置に重畳されており、記憶してある情報に基づいた前記蓄電素子の状態を示すグラフィックと、を含み、蓄電素子の階層構造に対応して遷移する複数の画面を有する状態画面の画面情報を送信する。
情報処理方法は、蓄電素子又は電源関連装置の情報を、情報処理装置が要求に応じて、又はイベントとして、送信する。情報処理方法は、前記蓄電素子又は前記電源関連装置に接続又は搭載されている通信デバイスを用いて、前記蓄電素子又は前記電源関連装置の状態を含む情報を通信により取得し、取得した情報を、前記蓄電素子又は前記電源関連装置を識別する情報と対応付けて記憶媒体に記憶し、前記記憶媒体に記憶してある情報に基づき、前記蓄電素子若しくは前記電源関連装置を含むシステム、又は、前記蓄電素子若しくは前記電源関連装置が設置されている場所の画像と、該画像における前記蓄電素子若しくは前記電源関連装置が写っている位置、又は描かれている位置に重畳されており、前記蓄電素子若しくは前記電源関連装置の状態を表すグラフィックと、を含む状態画面の画面情報を送信する。
【００１９】
コンピュータプログラムは、表示部を備えるコンピュータに、複数の蓄電セルを含むモジュールを複数接続して構成された蓄電素子の情報を表示させる。コンピュータプログラムは、前記コンピュータに、前記蓄電素子の情報を、該蓄電素子を含むシステム毎、又は前記蓄電素子が設置されている場所毎に、要求するステップ、及び要求に応じて送信された前記システム又は場所における蓄電素子の階層構造に対応して遷移する複数の画面を含み、各画面に含まれる前記蓄電素子を含むシステム、又は前記蓄電素子が設置されている場所の画像と、該画像における前記蓄電素子が写っている位置、又は描かれている位置に重畳されており、前記蓄電素子の状態を示すグラフィックとを含む状態画面の画面情報に基づき、前記状態画面を前記表示部に表示するステップを実行させる。
コンピュータプログラムは、表示部を備えるコンピュータに、蓄電素子又は電源関連装置の情報を表示させる。コンピュータプログラムは、前記コンピュータに、前記蓄電素子又は前期電源関連装置の情報を、前記蓄電素子若しくは前記電源関連装置を含むシステム毎、又は前記蓄電素子若しくは前記電源関連装置が設置されている場所毎に、要求するステップ、及び要求に応じて送信され、前記システム又は場所の画像と、該画像における前記蓄電素子若しくは前記電源関連装置が写っている位置、又は描かれている位置に重畳されており、前記蓄電素子若しくは前記電源関連装置の状態を表すグラフィックと、を含む状態画面の画面情報に基づき、前記状態画面を前記表示部に表示するステップを実行させる。
【００２０】
本発明をその実施の形態を示す図面を参照して具体的に説明する。
【００２１】
図１は、遠隔監視システム１００の概要を示す。遠隔監視システム１００は、メガソーラー発電システムＳ、火力発電システムＦ、風力発電システムＷに含まれる蓄電素子及び電源関連装置に関する情報への遠隔からのアクセスを可能とする。無停電電源装置（ＵＰＳ）Ｕ、鉄道用の安定化電源システム等に配設される整流器（直流電源装置、又は交流電源装置）Ｄも遠隔監視される。無停電電源装置、整流器に代えて、充放電器（充放電スタンド）Ｕ、系統連系ユニットＤが遠隔監視されてもよい。充放電器Ｕは、災害発生時などの非常時に、電気自動車（ＥＶ）やプラグインハイブリッド電気自動車（ＰＨＥＶ）に搭載されている二次電池の電力を、系統連系ユニット経由で、負荷や系統に供給する。
【００２２】
メガソーラー発電システムＳ、火力発電システムＦ及び風力発電システムＷには、パワーコンディショナ（ＰＣＳ）Ｐ及び蓄電システム１０１が並設されている。蓄電システム１０１は、蓄電モジュール群Ｌを収容したコンテナＣを複数並設して構成されている。蓄電モジュール群Ｌは、複数の蓄電素子を含む。蓄電素子は、鉛蓄電池及びリチウムイオン電池のような二次電池や、キャパシタのような、再充電可能なものであることが好ましい。蓄電素子の一部が、再充電不可能な一次電池であってもよい。
【００２３】
遠隔監視システム１００では、監視対象となるシステムＳ，Ｆ，Ｗにおける蓄電システム１０１、又は装置（Ｐ，Ｕ，Ｄおよび後述の管理装置Ｍ）夫々に、通信デバイス１（図２参照）が搭載／接続される。遠隔監視システム１００は、通信デバイス１と、通信デバイス１から情報を収集するサーバ装置２（情報処理装置）と、収集された情報を閲覧するためのクライアント装置３（通信端末装置）と、装置間の通信媒体であるネットワークＮとを含む。
【００２４】
通信デバイス１は、蓄電素子に備えられる電池管理装置（ＢＭＵ）と通信して蓄電素子の情報を受信する端末装置（計測モニタ）であってもよいし、ECHONET／ECHONETLite（登録商標）対応のコントローラであってもよい。通信デバイス１は、独立したデバイスであってもよいし、パワーコンディショナＰや蓄電モジュール群Ｌに搭載可能なネットワークカード型のデバイスであってもよい。通信デバイス１は、蓄電システム１０１における蓄電モジュール群Ｌの情報を取得すべく、複数の蓄電モジュールからなるグループ毎に１つずつ設けられている。パワーコンディショナＰは複数台でシリアル通信が可能に接続されており、通信デバイス１は、いずれか代表となるパワーコンディショナＰの制御ユニットに接続されている。
【００２５】
サーバ装置２はＷｅｂサーバ機能を含み、監視対象の各装置に搭載／接続された通信デバイス１から得られる情報を、クライアント装置３からのアクセスに応じて提示する（送信処理部）。
【００２６】
ネットワークＮは、所謂インターネットである公衆通信網Ｎ１と、所定の移動通信規格による無線通信を実現するキャリアネットワークＮ２とを含む。公衆通信網Ｎ１は、一般光回線を含み、ネットワークＮは、サーバ装置２が接続する専用線を含む。ネットワークＮは、ECHONET／ECHONETLite対応のネットワークを含んでもよい。キャリアネットワークＮ２には基地局ＢＳが含まれ、クライアント装置３は基地局ＢＳからネットワークＮを介したサーバ装置２との通信が可能である。公衆通信網Ｎ１にはアクセスポイントＡＰが接続されており、クライアント装置３はアクセスポイントＡＰからネットワークＮを介してサーバ装置２との間で情報を送受信することができる。
【００２７】
蓄電システム１０１の蓄電モジュール群Ｌは階層構造を有している。蓄電素子の情報をサーバ装置２へ送信する通信デバイス１は、蓄電モジュール群Ｌに設けられた管理装置Ｍから蓄電モジュール群の情報を取得する。図２は、蓄電モジュール群Ｌの階層構造及び通信デバイス１の接続形態の例を示す。蓄電モジュール群Ｌは、例えば蓄電セル（セルとも称する）を複数直列に接続した蓄電モジュール（モジュールとも称する）と、蓄電モジュールを複数直列に接続したバンクと、バンクを複数並列に接続したドメインとの階層構造にて構成されている。図２の例では、番号（＃）１−Ｎのバンク夫々と、バンクを並列に接続したドメインとに１つずつ、管理装置Ｍが設けられている。バンク毎に設けられている管理装置Ｍは、蓄電モジュールの内部に夫々内蔵されている通信機能付きの制御基板（ＣＭＵ：Cell Monitoring Unit）とシリアル通信によって通信し、蓄電モジュール内部の蓄電セルに対する測定データ（電流、電圧、温度）を取得する。バンクの管理装置Ｍは、通信状態の異常の検知等の管理処理を実行する。バンクの管理装置Ｍは夫々、ドメインに設けられている管理装置Ｍへ各々のバンクの蓄電モジュールから得られた測定データを送信する。バンクの管理装置Ｍは、異常が検知された場合はドメインの管理装置Ｍへ通知する。ドメインの管理装置Ｍは、そのドメインに所属するバンクの管理装置Ｍから得られる測定データ、検知された異常等の情報を集約する。図２の例では通信デバイス１は、ドメインの管理装置Ｍに接続されている。代替的に、通信デバイス１は、ドメインの管理装置Ｍとバンクの管理装置Ｍとの夫々に接続されてもよい。
【００２８】
このように遠隔監視システム１００では、各装置に搭載した通信デバイス１を利用し、蓄電システム１０１におけるＳＯＣ、ＳＯＨ（State Of Health）等の状態、検知された異常といった情報を、サーバ装置２が収集し、収集されたデータに基づいて蓄電システム１０１の状態を提示する。
【００２９】
図３は、遠隔監視システム１００に含まれる装置の内部構成を示すブロック図である。図３に示すように、通信デバイス１は、制御部１０、記憶部１１、第１通信部１２及び第２通信部１３を備える。制御部１０はＣＰＵ（Central Processing Unit）を用いたプロセッサであり、内蔵するＲＯＭ（Read Only Memory）及びＲＡＭ（Random Access Memory）等のメモリを用い、各構成部を制御して処理を実行する。
【００３０】
記憶部１１は、フラッシュメモリ等の不揮発性メモリを用いる。記憶部１１には、制御部１０が読み出して実行するデバイスプログラム１Ｐが記憶されている。デバイスプログラム１Ｐには、ＳＳＨ（Secure Shell）、ＳＮＭＰ（Simple Network Management Protocol）等に準じた通信用プログラムが含まれる。記憶部１１には、制御部１０の処理によって収集された情報、イベントログ等の情報が記憶される。記憶部１１に記憶された情報は、通信デバイス１の筐体に端子が露出するＵＳＢ等の通信インタフェースを介して読み出すことも可能である。記憶部１１に記憶されるデバイスプログラム１Ｐは、記録媒体４に記憶してあるデバイスプログラム４Ｐを読み出して記憶部１１に複製したものであってもよい。
【００３１】
第１通信部１２は、通信デバイス１が接続されている監視対象装置との通信を実現する通信インタフェースである。第１通信部１２は例えば、ＲＳ−２３２Ｃ又はＲＳ−４８５等のシリアル通信インタフェースを用いる。例えばパワーコンディショナＰはＲＳ−４８５に準拠したシリアル通信機能を有する制御ユニットを備えており、第１通信部１２はその制御ユニットと通信する。蓄電モジュール群Ｌに備えられている制御基板がＣＡＮ（Controller Area Network）バスにより接続されて制御基板間の通信をＣＡＮ通信で実現する場合、第１通信部１２はＣＡＮプロトコルに基づく通信インタフェースである。第１通信部１２は、ECHONET／ECHONETLiteの規格に対応する通信インタフェースであってもよい。
【００３２】
第２通信部１３は、ネットワークＮを介した通信を実現するインタフェースであり、例えばEthernet（登録商標）、又は無線通信用アンテナ等の通信インタフェースを用いる。制御部１０は、第２通信部１３を介してサーバ装置２と通信接続が可能である。第２通信部１３が、ECHONET／ECHONETLiteの規格に対応する通信インタフェースであってもよい。
【００３３】
このように構成される通信デバイス１では、制御部１０が第１通信部１２を介して、通信デバイス１が接続されている装置にて得られる蓄電素子に対する測定データを取得する。制御部１０は、ＳＮＭＰ用プログラムを読み出して実行することにより、ＳＮＭＰエージェントとして機能し、サーバ装置２からの情報要求に対して応答してもよい。
【００３４】
サーバ装置２はサーバコンピュータを用い、制御部２０、記憶部２１、及び通信部２２を備える。本実施の形態においてサーバ装置２は、１台のサーバコンピュータとして説明するが、複数のサーバコンピュータで処理を分散させてもよい。
【００３５】
制御部２０は、ＣＰＵ又はＧＰＵ（Graphics Processing Unit）を用いたプロセッサであり、内蔵するＲＯＭ及びＲＡＭ等のメモリを用い、各構成部を制御して処理を実行する。制御部２０は、記憶部２１に記憶されているサーバプログラム２１Ｐに基づく通信及び情報処理を実行する。サーバプログラム２１ＰにはＷｅｂサーバプログラムが含まれ、制御部２０は、クライアント装置３へのＷｅｂページの提供を実行するＷｅｂサーバとして機能する。制御部２０は、サーバプログラム２１Ｐに基づき、ＳＮＭＰ用サーバとして通信デバイス１から情報を収集する。
【００３６】
記憶部２１は、例えばハードディスク又はフラッシュメモリ等の不揮発性メモリを用いる。記憶部２１には、上述したサーバプログラム２１Ｐ及びデータ処理プログラム２２Ｐが記憶されている。記憶部２１に記憶されるサーバプログラム２１Ｐ及びデータ処理プログラム２２Ｐは、記録媒体５に記憶してあるサーバプログラム５１Ｐ及びデータ処理プログラム５２Ｐを読み出して記憶部２１に複製したものであってもよい。
【００３７】
記憶部２１には、制御部２０の処理によって収集される監視対象となる蓄電システム１０１のパワーコンディショナＰ及び蓄電モジュール群Ｌの測定データが記憶される。測定データは、蓄電システム１０１又はパワーコンディショナＰを識別する識別情報（番号）と対応付けられている。蓄電モジュール群Ｌの測定データは、ドメイン、バンク、モジュール、又はセルと階層構造に応じて記憶される。
【００３８】
記憶部２１には、監視対象の蓄電モジュール群Ｌ又は装置Ｐ，Ｕ，Ｄの状態を表示するための画像が複数記憶されている。複数の画像は、監視対象の蓄電モジュール群Ｌ又は装置Ｐ，Ｕ，Ｄを識別する識別情報と対応付けて記憶部２１に記憶されている。複数の画像には、蓄電モジュール群Ｌ又は装置Ｐ，Ｕ，Ｄを表す画像が含まれる。複数の画像には、蓄電モジュール群Ｌ又は装置Ｐ，Ｕ，Ｄの配置を示す画像が含まれる。これらの画像は、航空写真、衛星写真等の写真、２Ｄ地図、設計図、ＣＡＤ図面、又はイラストである。これらの画像は、クライアント装置３からのアップロードにより記憶されてよい。写真、地図、設計図、図面又はイラストの内、監視対象の蓄電モジュール群Ｌ又は装置Ｐ，Ｕ，Ｄの位置又は範囲が各画像について記憶されている。位置又は範囲を示す情報は例えば、画像に対応する座標情報である。画像が航空写真、衛星写真又は地図である場合には緯度経度情報及び相対位置を示す情報であってもよい。記憶部２１に記憶されている複数の画像には、蓄電モジュール群Ｌ又は装置Ｐ，Ｕ，Ｄの状態を表現するためのイラスト、アイコン、アニメーション等の画像が含まれる。記憶部２１には状態を表示するための画像の他、Ｗｅｂベースで蓄電システム１０１、装置Ｐ，Ｕ，Ｄの状態を視覚的に出力するためのスタイルシート、スクリプト等のデザインデータが記憶されている。
【００３９】
通信部２２は、ネットワークＮを介した通信接続及び情報の送受信を実現する通信デバイスである。具体的には通信部２２はネットワークＮに対応したネットワークカードである。
【００４０】
クライアント装置３は、発電システムＳ，Ｆ，Ｗの蓄電システム１０１の管理者又は保守担当者等のオペレータが使用するコンピュータである。クライアント装置３は、デスクトップ型若しくはラップトップ型のパーソナルコンピュータであってもよいし、所謂スマートフォン又はタブレット型の通信端末であってもよい。クライアント装置３は、制御部３０、記憶部３１、通信部３２、表示部３３、及び操作部３４を備える。
【００４１】
制御部３０は、ＣＰＵを用いたプロセッサである。制御部３０は、記憶部３１に記憶されているクライアントプログラム３Ｐに基づき、サーバ装置２により提供されるＷｅｂページを表示部３３に表示させる。クライアントプログラム３Ｐは、サーバ装置２のＷｅｂサーバ機能により提供されるＷｅｂページに組み込まれており、クライアント装置３で一時的に記憶されるスプリクトとＷｅｂブラウザプログラムとを含み、サーバ装置２における動作に基づいたＷｅｂベースの画面を表示させるためのプログラムである。
【００４２】
記憶部３１は、例えばハードディスク又はフラッシュメモリ等の不揮発性メモリを用いる。記憶部３１には、クライアントプログラム３Ｐを含む各種プログラムが記憶されている。クライアントプログラム３Ｐは、記録媒体６に記憶してあるクライアントプログラム６Ｐを読み出して記憶部１１に複製したものであってもよい。
【００４３】
通信部３２は、有線通信用のネットワークカード等の通信デバイス、基地局ＢＳ（図１参照）に接続する移動通信用の無線通信デバイス、又はアクセスポイントＡＰへの接続に対応する無線通信デバイスを用いる。制御部３０は通信部３２により、ネットワークＮを介してサーバ装置２との間で通信接続又は情報の送受信が可能である。
【００４４】
表示部３３は、液晶ディスプレイ、有機ＥＬ（Electro Luminescence）ディスプレイ等のディスプレイを用いる。表示部３３は制御部３０のクライアントプログラム３Ｐに基づく処理により、サーバ装置２で提供されるＷｅｂページのイメージを表示する。表示部３３は、好ましくはタッチパネル内蔵型ディスプレイであるが、タッチパネル非内蔵型ディスプレイであってもよい。
【００４５】
操作部３４は、制御部３０との間で入出力が可能なキーボード及びポインティングデバイス、若しくは音声入力部等のユーザインタフェースである。操作部３４は、表示部３３のタッチパネル、又は筐体に設けられた物理ボタンを用いてもよい。操作部３４は、ユーザによる操作情報を制御部３０へ通知する。
【００４６】
このように構成される遠隔監視システム１００では、サーバ装置２が、データ処理プログラム２２Ｐに基づいてパワーコンディショナＰ、蓄電モジュール群Ｌ（管理装置Ｍ）、無停電電源装置Ｕ、及び整流器Ｄの状態を含む様々な情報を通信デバイス１から定期的に取得し、記憶部２１に記憶する。通信デバイス１からは、階層構造に応じた親子関係が紐付けられて各蓄電モジュール群Ｌについての状態情報が送信される。サーバ装置２は、通信デバイス１を用いて蓄電素子若しくは各電源関連装置から取得した情報に基づいて、監視対象のシステム又は装置の状態を、蓄電セルの階層構造に応じて視覚的に表す画面情報を作成し、クライアント装置３へ送信して提示する。
【００４７】
図４は、サーバ装置２における情報提示の処理手順の例を示すフローチャートである。サーバ装置２は、通信デバイス１から定期的に取得して記憶部２１に記憶してあるパワーコンディショナＰ、蓄電モジュール群Ｌ（管理装置Ｍ）、無停電電源装置Ｕ、及び整流器Ｄの情報を用いて、以下の処理をクライアント装置３からの要求に応じて、又は、イベントとして実行する。イベントとは、周期の到来であってもよいし、異常発生等のシステム又は装置の状態変化の検知であってもよい。
【００４８】
制御部２０は、監視対象であるシステム又は装置を識別する識別情報を１つ選択する（ステップＳ１０１）。
【００４９】
制御部２０は、選択された識別情報により識別されるシステム又は装置が蓄電セルを含むか否かを判断する（ステップＳ１０２）。蓄電セルを含むと判断された場合（Ｓ１０２：ＹＥＳ）、選択された識別情報により識別されるシステム又は装置は、階層構造の蓄電セルを含むか否かを判断する（ステップＳ１０３）。
【００５０】
ステップＳ１０３にて階層構造の蓄電セルを含むと判断された場合（Ｓ１０３：ＹＥＳ）、制御部２０は、階層毎の充電状態（ＳＯＣ）を導出する（ステップＳ１０４）。ステップＳ１０４で階層とは、図２に示すような構造の蓄電システム１０１であれば例えばドメイン、バンク、モジュールである。
【００５１】
制御部２０は、階層毎に導出したＳＯＣを、選択中のシステム又は装置の識別情報、階層構造の蓄電モジュール群Ｌ夫々を識別する名称（識別番号）に対応付けて、上位層の蓄電モジュール群Ｌの識別情報と共に一時的に記憶する（ステップＳ１０５）。
【００５２】
ステップＳ１０３にて階層構造を含まないと判断された場合（Ｓ１０３：ＮＯ）、制御部２０は、選択された識別情報により識別されるシステム又は装置が含む蓄電セル全体としてのＳＯＣを導出（ここでは単に、管理装置Ｍから送信されたＳＯＣを提示）し（ステップＳ１０６）、選択中のシステム又は装置の識別情報と対応付けて一時的に記憶する（ステップＳ１０７）。
【００５３】
次に制御部２０は、選択された識別情報により識別されるシステム又は装置の異常の有無を特定し（ステップＳ１０８）、選択中のシステム又は装置の識別情報と対応付けて、特定された結果を一時的に記憶する（ステップＳ１０９）。
【００５４】
ステップＳ１０２において蓄電セルを含まないと判断された場合（Ｓ１０２：ＮＯ）、制御部２０は、処理をステップＳ１０８へ進める。
【００５５】
制御部２０は、監視対象であるシステム又は装置を識別する識別情報を全て選択したか否かを判断する（ステップＳ１１０）。全て判断したと判断された場合（Ｓ１１０：ＹＥＳ）、制御部２０は一回の処理を終了する。ステップＳ１１０にて全てを選択していないと判断された場合（Ｓ１１０：ＮＯ）、制御部２０は、処理をステップＳ１０１へ戻し、次のシステム又は装置の識別情報を選択する。
【００５６】
図４のフローチャートに示した処理により、クライアント装置３からの要求があったタイミング、又はイベント発生（状態変化等）のタイミングにおける状態が一時的に記憶部２１又は制御部２０内蔵の一時記憶部に記憶される。クライアント装置３からの要求がある都度、又はイベント発生の都度、記憶される状態の情報は更新される。
【００５７】
図５及び図６は、サーバ装置２からクライアント装置３への情報提示の処理手順の例を示すフローチャートである。クライアント装置３にてＷｅｂブラウザからログイン要求を受けると、以下の処理が開始される。
【００５８】
制御部２０は、Ｗｅｂサーバとしてクライアント装置３にてログインデータを受け付けるためのログインページのデータをクライアント装置３へ送信する（ステップＳ２０１）。クライアント装置３の表示部３３に表示されたログイン画面にて操作部３４での操作に基づき、制御部２０はログインデータを受信する（ステップＳ２０２）。ログインデータは、クライアント装置３を使用する管理者又はオペレータを識別するＩＤ及びパスワードを含む。ログインデータは、パスワードに代わる生体情報等を含んでもよい。
【００５９】
制御部２０は、受信したログインデータに基づき、該ログインデータに対応付けて記憶されているアクセス権限を有するシステム又は装置の識別情報を抽出する（ステップＳ２０３）。制御部２０は、抽出された識別情報に対応するシステム又は装置夫々の異常の有無の記憶を参照する（ステップＳ２０４）。ステップＳ２０４で制御部２０は、図４のフローチャートにより適宜更新された異常の有無の情報を参照する。制御部２０は、ステップＳ２０３で抽出された識別情報に対応するシステム又は装置夫々の情報を表示するための他のＷｅｂページへのリンク情報の一覧に、ステップＳ２０４で参照した異常の有無を示すアイコンを付したＷｅｂページの情報を、クライアント装置３へ送信する（ステップＳ２０５）。ログイン情報に対応付けられているアクセス権限を有するシステム又は装置が単一である場合、ステップＳ２０５では、その単一のシステム又は装置の情報を表示するためのＷｅｂページのデータがクライアント装置３へ送信される（後述のＳ２０７）。
【００６０】
クライアント装置３は、通信部３２により、アクセス権限を有するシステム又は装置の一覧のＷｅｂページのデータを受信し（ステップＳ３０１）、一覧のＷｅｂページを表示部３３に表示する（ステップＳ３０２）。制御部３０は、受信したデータに基づき表示したリンク情報の一覧から、所望のシステム又は装置の選択を受け付け（ステップＳ３０３）、選択されたリンク情報が示すＷｅｂページのデータの要求をサーバ装置２へ送信する（ステップＳ３０４）。
【００６１】
サーバ装置２の制御部２０は、対象のシステム又は装置のＷｅｂページのデータ要求を受信し（ステップＳ２０６）、選択されたシステム又は装置の情報を表示するためのＷｅｂページのデータをクライアント装置３へ送信する（ステップＳ２０７）。ステップＳ２０７で送信されるＷｅｂページのデータには、選択されたシステム又は装置を表す画像、配置を示す画像、画像内におけるシステム又は装置の位置を示す座標データ、状態を表現するためのイラスト、アイコン、ポップアップ、アニメーション等のグラフィックデータが含まれる。
【００６２】
クライアント装置３の制御部３０は、Ｗｅｂページのデータを受信し（ステップＳ３０５）、受信したデータに含まれるスクリプトに基づいて、選択されたシステム又は装置の状態取得をサーバ装置２へ要求する（ステップＳ３０６）。
【００６３】
サーバ装置２の制御部２０は、状態取得の要求を受信し（ステップＳ２０８）、対象のシステム又は装置の最上位層、即ち全体としての状態と、異常の有無とを特定する（ステップＳ２０９）。制御部２０は、階層毎に状態が記憶されている場合、制御部２０は最上位層の状態を参照する。制御部２０は、選択されたシステム又は装置に対してステップＳ２０９で特定された状態、及び異常の有無を示すデータをクライアント装置３へ送信する（ステップＳ２１０）。
【００６４】
クライアント装置３の制御部３０は、対象のシステム又は装置の状態、及び異常の有無を示すデータを受信する（ステップＳ３０７）。制御部３０は、受信したデータが示す状態、又は異常の有無に応じたグラフィックデータを、受信したデータから選択し（ステップＳ３０８）、選択したグラフィックデータ等を用いて、対象のシステム又は装置を表す画像を含むＷｅｂページを表示部３３に表示させる（ステップＳ３０９）。
【００６５】
クライアント装置３の制御部３０は、対象のシステム又は装置に含まれる階層構造の蓄電モジュール群Ｌについて、他の階層が選択されたか否かを判断する（ステップＳ３１０）。ステップＳ３１０で選択されたと判断された場合（Ｓ３１０：ＹＥＳ）、選択された階層の蓄電モジュール群Ｌの状態取得をサーバ装置２へ要求する（ステップＳ３１１）。
【００６６】
サーバ装置２の制御部２０は、状態取得の要求を受信し（ステップＳ２１１）、対象の階層の蓄電モジュール群Ｌの状態と、異常の有無とを特定する（ステップＳ２１２）。制御部２０は、選択された階層の蓄電モジュール群Ｌについて特定された状態、及び異常の有無を示すデータをクライアント装置３へ送信する（ステップＳ２１３）。
【００６７】
クライアント装置３の制御部３０は、選択された階層の状態、及び異常の有無を示すデータを受信する（ステップＳ３１２）。制御部３０は、受信したデータが示す状態、又は異常の有無に応じたグラフィックデータを、受信したデータから選択し（ステップＳ３１３）、選択したグラフィックデータ等を用いて、対象の階層の状態を表す画像を含むＷｅｂページを表示部３３に表示させる（ステップＳ３１４）。
【００６８】
クライアント装置３の制御部３０は、対象のシステム又は装置のＷｅｂページの表示の終了操作を受け付けたか否かを判断し（ステップＳ３１５）、受け付けていないと判断された場合（Ｓ３１５：ＮＯ）、ステップＳ３１０へ処理を戻す。ステップＳ３１５の終了操作を受け付けたか否かは、Ｗｅｂブラウザが終了されたか、ログアウトが選択されたか、又はアクセス権限を有するシステム又は装置単体の一覧のＷｅｂページへの遷移が選択されたかで判断される。
【００６９】
ステップＳ３１５で終了操作を受け付けたと判断された場合（Ｓ３１５：ＹＥＳ）、情報提示の処理は終了する。
【００７０】
図５及び図６のフローチャートに示した処理手順を、具体的な画面例を参照して説明する。図７−図１６は、画面情報に基づき表示される画面の例を示す。図７は、ステップＳ３０２における権限があるシステム又は装置の名称の一覧を含むＷｅｂ画面３３０（クライアント装置３の表示部３３に表示される画面）を示す。図７の例であれば、図１に示したメガソーラー発電システムＳの名称「ＸＹ市メガソーラーシステム」、火力発電システムＦの名称「ＷＺ発電所システム」、「Ｋ鉄道システム」、「Ｘ工場システム」等が夫々、識別情報と共にリンクとして表示されている。名称は「ＸＹ市メガソーラーシステム」のように、蓄電モジュール群Ｌ及び／又は装置Ｐ，Ｕ，Ｄが設置されている場所を表す場合がある。一覧のＷｅｂ画面３３０には、各システムについて特定された異常の有無を示すアイコンが含まれている。
【００７１】
次に、システム又は装置が選択された場合の画面例について説明する。図８には、選択されたシステム又は装置の全体の状態を示す状態画面３３１が示されている。図８における状態画面３３１は、図７に示した一覧の内の「ＸＹ市メガソーラーシステム」がクライアント装置３の操作部３４の操作により選択された場合に表示され、多数のソーラーパネルと蓄電モジュール群Ｌを収容する多数のコンテナＣを撮像した航空写真である画像Ｋ（図８では線図で描かれている）を含む。画像Ｋは、写真画像の代わりにイラストであってもよい。状態画面３３１には、システムの画像Ｋと共に「ＸＹ市メガソーラーシステム」の状態を視覚的に表すグラフィックオブジェクト３３２が含まれている。グラフィックオブジェクト３３２は、図８に示す例では、特定されている状態に応じて異なる色が選択される丸形のアイコンである。図８では、異常ありを示す色のアイコンが選択されて表示されている。グラフィックオブジェクト３３２の表示位置は、画像Ｋに対する相対位置によって画像Ｋと対応付けて状態画面３３１のデザインデータに含まれ、記憶部２１に記憶されている。これによりグラフィックオブジェクト３３２は、画像Ｋの拡縮に応じて適切に移動するようにしてある。グラフィックオブジェクト３３２を含む状態画面３３１により、多数のソーラーパネルとコンテナＣの配置を視認できると共に、「ＸＹ市メガソーラーシステム」が全体として問題なく運用されていることをクライアント装置３から確認することができる。
【００７２】
状態画面３３１には、切替インタフェース３３３が含まれている。切替インタフェース３３３は、図８に示す例では、「写真」、「平面図」、「３Ｄ」の３種類について夫々選択可能なボタン又はアイコンを含む。切替インタフェース３３３は選択の都度巡回的に「写真」「平面図」「３Ｄ」が切り替えられる１つのボタンの態様のインタフェースであってもよい。
【００７３】
図８に示す状態画面３３１の画面情報には、グラフィックオブジェクト３３２が選択された場合に、下位の階層の状態の表示へ遷移するスクリプトが含まれている。グラフィックオブジェクト３３２が操作部３４で選択された場合、図５及び図６のフローチャートに示した処理手順の内のステップＳ３１０にて他の階層、下位の階層が選択されたと判断される（Ｓ３１０：ＹＥＳ）。
【００７４】
図９は、他の階層の状態表示に遷移した状態画面３３１の例を示す。図９は、図８に示した「ＸＹ市メガソーラーシステム」に含まれるコンテナＣレベルの状態を示す状態画面３３１を示す。図９の状態画面３３１には、コンテナＣ毎、即ちコンテナＣに含まれる蓄電モジュール群Ｌの状態が夫々表示されている。図９の状態画面３３１では、異常があると特定されている蓄電モジュール群Ｌを含むコンテナＣの斜視図上に、異常がある場合の色で描画された円形のアイコンであるグラフィックオブジェクト３３２が表示されている。異常の有無にかかわらず、各コンテナに選択可能なグラフィックオブジェクト３３２が表示されてもよい。図９に示す各コンテナＣに対応する階層の状態画面３３１にも、グラフィックオブジェクト３３２が選択された場合に、下位の階層の状態の表示へ遷移するスクリプトが含まれている。
【００７５】
図１０は、他の階層の状態表示に遷移した状態画面３３１の例を示す。図１０は、図９に示した「ＸＹ市メガソーラーシステム」に含まれるコンテナＣに含まれるドメインレベルの状態画面３３１を示す。図１０の状態画面３３１には、コンテナＣに含まれる２つのドメイン夫々の状態が表示されている。図１０では、各ドメインをシステム内で識別するドメイン識別情報（ドメイン＃）が示されている。図１０の状態画面３３１では、異常があると特定されているドメインの蓄電モジュール群Ｌの斜視図上に、異常がある場合の色で描画された円形のアイコンであるグラフィックオブジェクト３３２が表示されている。異常の有無にかかわらず、各コンテナに選択可能なグラフィックオブジェクト３３２が表示されてもよい。図１０に示す各ドメインの状態画面３３１にも、グラフィックオブジェクト３３２が選択された場合に、下位の階層の状態の表示へ遷移するスクリプトが含まれている。
図１１は、階層毎の状態画面３３１の例を示す。図１１は、図１０に示した各ドメインの状態画面３３１から選択されたドメインの詳細情報を示すページを示す。図１１では、選択されたドメインの状態（正常／異常）、ドメインの総電圧、電流、セル電圧、ＳＯＣ、温度の分布（最高値、平均値、及び最低値）を含む状態画面３３１が示されている。ドメインの状態画面３３１には、図１１に示すように、そのドメインに含まれるバンク夫々の詳細情報へのリンクが含まれてよい。
【００７６】
図１０及び図１１に示す階層の選択に応じて表示される状態画面３３１は、選択中の階層を示すフットパス３３４を含む。フットパス３３４によって上位層を含む他の階層の選択が可能である。このように、蓄電モジュール群Ｌの各階層の状態を、斜視図で視覚的に表した状態画面３３１にて示すことにより、直感的に把握することが容易になる。上下関係にある階層の状態も、状態画面３３１内のグラフィックオブジェクト３３２の選択及びフットパス３３４の選択によって直感的に把握することができる。
【００７７】
図８に示した状態画面３３１から図９の状態画面３３１、図１０の状態画面３３１への遷移は、アニメーションのように表示されてよい。
【００７８】
図１２は、状態画面３３１の他の例を示す。図１２における状態画面３３１は、図７に示した一覧の内の「Ｘ工場システム」がクライアント装置３の操作部３４の操作により選択された場合に表示される。状態画面３３１は、蓄電モジュール群Ｌが屋内に設置された建物を含む工場の航空写真である画像Ｋ（図１２では線図で描かれている）を含む。状態画面３３１には上述の図８同様に、システムの画像Ｋと共に「Ｘ工場システム」の状態を視覚的に表すグラフィックオブジェクト３３２が含まれている。グラフィックオブジェクト３３２は、図８に示す例では、異常ありを示す色で描画された丸形のアイコンである。グラフィックオブジェクト３３２の表示位置は、画像Ｋに対する相対位置によって画像Ｋと対応付けて状態画面３３１のデザインデータに含まれ、記憶部２１に記憶されている。これによりグラフィックオブジェクト３３２は、画像Ｋの拡縮に応じて適切に移動するようにしてある。グラフィックオブジェクト３３２を含む状態画面３３１により、蓄電モジュール群Ｌが設置されている建物の位置を視認できると共に、「Ｘ工場システム」が全体として問題なく運用されていることをクライアント装置３の表示部３３にて確認することができる。
【００７９】
図１２に示す状態画面３３１の画面情報には、グラフィックオブジェクト３３２が選択された場合に、下位の階層の状態の表示へ遷移するスクリプトが含まれている。グラフィックオブジェクト３３２が操作部３４で選択された場合、図５及び図６のフローチャートに示した処理手順の内のステップＳ３１０にて他の階層、下位の階層が選択されたと判断される（Ｓ３１０：ＹＥＳ）。
【００８０】
図１３は、他の階層の状態表示に遷移した状態画面３３１の例を示す。図１３に示す状態画面３３１は、図１２に示した「Ｘ工場システム」の蓄電モジュール群Ｌが設置されている建物のフロアの図面である画像Ｋを含む。状態画面３３１は、画像Ｋ上で、蓄電モジュール群Ｌが設置されている部屋の位置及び蓄電モジュール群Ｌの状態を示すグラフィックオブジェクト３３２を含む。図１３に示すグラフィックオブジェクト３３２は、異常がある場合の色で描画された円形のアイコンである。異常の有無にかかわらず、グラフィックオブジェクト３３２が表示されてもよい。図１３に示す状態画面３３１にも、グラフィックオブジェクト３３２が選択された場合に、下位の階層の状態の表示へ遷移するスクリプトが含まれている。
【００８１】
図１４は、他の階層の状態表示に遷移した状態画面３３１の例を示す。図１４に示す状態画面３３１は、図１３に示したグラフィックオブジェクト３３２が重畳して表示されていた部屋を選択した場合に表示される、蓄電モジュール群Ｌが複数取り付けられたラックを示す斜視図を画像Ｋとして含む。画像Ｋは、写真画像であってもよい。図１４の状態画面３３１も、画像Ｋ上で、蓄電モジュール群Ｌが収容されたラックの位置及び収容されている蓄電モジュール群Ｌの状態を示すグラフィックオブジェクト３３２を含む。図１４に示すグラフィックオブジェクト３３２は、異常がある場合の色で描画された円形のアイコンである。異常の有無にかかわらず、グラフィックオブジェクト３３２が表示されてもよい。図１４に示す状態画面３３１にも、グラフィックオブジェクト３３２が選択された場合に、下位の階層の状態の表示へ遷移するスクリプトが含まれている。
【００８２】
図１５は、他の階層の状態表示に遷移した状態画面３３１の例を示す。図１５に示す状態画面３３１は、図１４に示したグラフィックオブジェクト３３２を選択した場合に表示される。状態画面３３１は、ラックに収容されている蓄電モジュール群Ｌをバンク単位のブロックで示す構成図を画像Ｋとして含む。図１５の状態画面３３１も、画像Ｋ上で、蓄電モジュール群Ｌの状態を示すグラフィックオブジェクト３３２を含む。図１５の例では、異常があると特定されているバンクに対応するブロック上に、異常がある場合の色で描画された円形のアイコンであるグラフィックオブジェクト３３２が表示されている。異常の有無にかかわらず、各バンクに対応するブロック上にグラフィックオブジェクト３３２が表示されてもよい。図１５に示す状態画面３３１にも、グラフィックオブジェクト３３２が選択された場合に、下位の階層の状態の表示へ遷移するスクリプトが含まれている。
【００８３】
図１６は、階層毎の状態画面３３１の例を示す。図１６は、図１５に示したバンク単位の構成図を含む状態画面３３１から選択されたバンクの詳細情報を示すページを示す。図１６では、選択されたバンクの状態（正常／異常）、バンクの総電圧、電流、セル電圧、ＳＯＣ、温度の分布（最高値、平均値、及び最低値）を含む状態画面３３１が示されている。バンクの状態画面３３１には、図１６に示すように、そのバンクに含まれるモジュールの詳細情報へのリンクが含まれてよい。
【００８４】
このようにして、クライアント装置３を使用する保守担当者又は管理者が権限を有するシステム又は装置の一覧からいずれかを選択した場合に表示されるＷｅｂページには、全体の状態及び異常の有無を示すグラフィックオブジェクト３３２を含む状態画面３３１が階層状に表示される。これにより、保守担当者又は管理者はシステム全体の状態を視覚から直感的に把握することができる。状態画面３３１は、図５及び図６のフローチャートに示した処理手順により、階層の順に表示され、保守担当者又は管理者は逐次状態を把握することができる。
【００８５】
図１７は、状態画面３３１の他の一例を示す図である。図１７では、グラフィックオブジェクト３３２は、選択されたシステム又は装置におけるＳＯＣを表すアイコンである。図１７におけるグラフィックオブジェクト３３２は、電池のイラストを含み、イラスト内のブロックの数でＳＯＣを表している。グラフィックオブジェクト３３２の電池のイラストは、異常ありを示す色で描画されている。
【００８６】
図１７の状態画面３３１には、画像Ｋの拡大コントロール３３５が含まれている。図１８は、図１７の状態画面３３１を拡大した場合を示す。図１８では、図１７の状態画面３３１に含まれている拡大コントロール３３５によって拡大された場合に選択されたシステム又は装置に含まれる蓄電モジュール群ＬのＳＯＣを、コンテナＣ単位で棒グラフ状に示すグラフィックオブジェクト３３２を含んでいる。棒グラフ状に限らず、円グラフ、時系列のＳＯＣ分布を示す二次元グラフが表示されてもよい。図１８に示す例では、異常な状態の蓄電モジュール群Ｌを含むコンテナＣについて、ＳＯＣを示す数値と共に異常内容を表すテキストを含む吹き出しが表示されると共に、異常内容に対応するアイコンが表示されている。状態画面３３１は、コンテナＣ夫々に、カーソル等のポインティングが重畳した場合に、コンテナＣに含まれる蓄電モジュール群ＬのＳＯＣを夫々数値又は描画して出力してもよい。
【００８７】
図１９は、状態画面３３１の他の例を示す。図１９では、グラフィックオブジェクト３３２は、選択されたシステム又は装置の範囲をカバーする形及び色で描画された図形である。図１９におけるグラフィックオブジェクト３３２は、異常ありを示す色で描画されている。コンテナＣ夫々の状態に応じてグラデーションで描画されてもよい。この場合、異常を示す蓄電モジュール群Ｌを含むコンテナＣが写っている範囲に重畳している部分は赤、橙等の暖色系、正常な蓄電モジュール群Ｌを含むコンテナＣが写っている範囲に重畳する部分は青、緑等の寒色系の色で描画されるようにしてもよい。
【００８８】
図２０は、状態画面３３１の他の例を示す。図２０は、図８の切替インタフェース３３３の内、「平面図」のアイコンが選択された場合に表示される画像Ｋの例を示している。状態画面３３１の切替インタフェース３３３によって画像Ｋが写真画像から平面図に変更された場合も、「ＸＹ市メガソーラーシステム」の「平面図」として記憶してある画像Ｋに対応付けて記憶してある相対位置に基づいて、グラフィックオブジェクト３３２が表示されている。
【００８９】
図２１は、状態画面３３１の他の一例を示す図である。図１３では、図８の切替インタフェース３３３の内、「３Ｄ」のアイコンが選択された場合に表示される画像Ｋの例を示している。状態画面３３１の切替インタフェース３３３によって画像Ｋが写真画像から３Ｄ、即ち３次元画像に変更された場合も、「ＸＹ市メガソーラーシステム」の「三次元画像」として記憶してある画像Ｋに対応付けて記憶してある相対位置に基づいて、グラフィックオブジェクト３３２が表示されている。
【００９０】
このようにして、クライアント装置３を使用する保守担当者又は管理者が権限を有するシステム又は装置の一覧からいずれかを選択した場合に表示されるＷｅｂページには、全体の状態及び異常の有無を示すグラフィックオブジェクト３３２を含む状態画面３３１が表示される。これにより、保守担当者又は管理者はシステム全体の状態を視覚から直感的に把握することができる。状態画面３３１は、例えば図５及び図６のフローチャートに示した処理手順により、画面のリフレッシュの都度に更新され、保守担当者又は管理者は逐次状態を把握することができる。
【００９１】
上述の実施の形態はすべての点で例示であって、制限的なものではない。本発明の範囲は、請求の範囲によって示され、請求の範囲と均等の意味および範囲内でのすべての変更が含まれることが意図される。
【００９２】
上述の実施の形態では、状態画面において蓄電素子の状態をグラフィックにより示したが、電源関連装置の状態をグラフィックにより示してもよい。例えば、図１の、充放電器Ｕの状態をグラフィックにより示すとともに、系統連系ユニットＤの状態をグラフィックにより示してもよい。それらグラフィックは、充放電器Ｕ及び系統連系ユニットが設置される施設や場所の画像に重畳されて表示されてもよい。系統連系ユニットが、蓄電素子及びパワーコンディショナ（電力変換器）を含む場合、系統連系の状態、蓄電素子の状態、パワーコンディショナの状態などを、グラフィックにより示してもよい。
蓄電素子及び電源関連装置が相互に関連して動作しているシステムでは、一括表示によって、蓄電素子及び電源関連装置の状態把握がより効率的になる。また、電力に関する異なる監視対象の状態を、共通の画像上に一括表示させることで、システム全体の保守（計画的な保守、予防保守を含む）が行ない易くなる。従来、蓄電素子及び電源関連装置を含むシステムの保守では、システムに含まれる蓄電素子自体又は電源関連装置夫々に独立して開発された保守支援システムを利用していた。それら保守支援システムは、使用方法も表示態様も統一感がなく、保守管理が煩雑だった。本明細書に開示された技術により、運用性・保守性が著しく向上する。
【図１】
2020189499.tif 000003
【図２】
2020189499.tif 000004
【図３】
2020189499.tif 000005
【図４】
2020189499.tif 000006
【図５】
2020189499.tif 000007
【図６】
2020189499.tif 000008
【図７】
2020189499.tif 000009
【図８】
2020189499.tif 000010
【図９】
2020189499.tif 000011
【図１０】
2020189499.tif 000012
【図１１】
2020189499.tif 000013
【図１２】
2020189499.tif 000014
【図１３】
2020189499.tif 000015
【図１４】
2020189499.tif 000016
【図１５】
2020189499.tif 000017
【図１６】
2020189499.tif 000018
【図１７】
2020189499.tif 000019
【図１８】
2020189499.tif 000020
【図１９】
2020189499.tif 000021
【図２０】
2020189499.tif 000022
【図２１】
2020189499.tif 000023
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
複数の蓄電セルを含むモジュールを複数接続して構成された蓄電素子の情報を、外部からの要求に応じて、又はイベントとして、送信する情報処理装置であって、
前記蓄電素子の状態を含む情報を通信により取得する取得部と、
取得した情報を、前記蓄電素子を識別する情報と対応付けて記憶媒体に記憶する記憶処理部と、
前記記憶媒体に記憶してある情報に基づいて、前記蓄電素子を含むシステム、又は前記蓄電素子が設置されている場所の画像と、該画像における前記蓄電素子が収容された一又は複数のコンテナ、設置された建物、設置された部屋、写っている位置、又は描かれている位置に重畳されており、前記蓄電素子の状態を示すグラフィックと、を含む状態画面の画面情報を送信する送信処理部と
を備え、
前記状態画面は、前記蓄電素子の階層構造に対応して遷移する複数の画面を含み、前記グラフィックは階層毎に導出された前記蓄電素子の状態を前記複数の画面で示す
情報処理装置。
【請求項２】
前記グラフィックは、前記システム又は場所における蓄電素子の状態に対応する色、形、又はイラストを含む
請求項１に記載の情報処理装置。
【請求項３】
前記状態画面における前記蓄電素子が写っている位置、又は、描かれている位置は、画像毎に、画像内の相対位置で記憶してある
請求項１又は請求項２に記載の情報処理装置。
【請求項４】
複数の蓄電セルを含むモジュールを複数接続して構成された蓄電素子に接続、又は搭載されている通信デバイスと、該通信デバイスと通信接続が可能な情報処理装置とを含み、
該情報処理装置は、
前記蓄電素子の状態を含む情報を通信により取得する取得部と、
取得した情報を、前記蓄電素子を識別する情報と対応付けて記憶媒体に記憶する記憶処理部と、
前記記憶媒体に記憶してある情報に基づいて、前記蓄電素子を含むシステム、又は前記蓄電素子が設置されている場所の画像と、該画像における前記蓄電素子が収容された一又は複数のコンテナ、設置された建物、設置された部屋、写っている位置、又は描かれている位置に重畳されており、前記蓄電素子の状態を示すグラフィックと、を含む状態画面の画面情報を送信する送信処理部と
を備え、
前記状態画面は、前記蓄電素子の階層構造に対応して遷移する複数の画面を含み、前記グラフィックは階層毎に導出された前記蓄電素子の状態を前記複数の画面で示す
情報処理システム。
【請求項５】
複数の蓄電セルを含むモジュールを複数接続して構成された蓄電素子の情報を、情報処理装置が要求に応じて、又はイベントとして、送信する情報処理方法であって、
前記蓄電素子に接続又は搭載されている通信デバイスを用いて、前記蓄電素子の状態を含む情報を通信により取得し、
取得した情報を、前記蓄電素子を識別する情報と対応付けて記憶媒体に記憶し、
記憶した各蓄電素子の情報から、前記蓄電素子の階層構造に対応する階層毎に、前記蓄電素子の状態を導出し、
前記蓄電素子を含むシステム、又は前記蓄電素子が設置されている場所の画像と、該画像における前記蓄電素子が収容された一又は複数のコンテナ、設置された建物、設置された部屋、写っている位置、又は描かれている位置に重畳されており、記憶してある情報に基づき、階層毎に導出された前記蓄電素子の状態を示すグラフィックと、を含み、蓄電素子の階層構造に対応して遷移する複数の画面で前記蓄電素子の状態を示す状態画面の画面情報を送信する
情報処理方法。
【請求項６】
表示部を備えるコンピュータに、複数の蓄電セルを含むモジュールを複数接続して構成された蓄電素子の情報を表示させるコンピュータプログラムであって、
前記コンピュータに、
前記蓄電素子の情報を、該蓄電素子を含むシステム毎、又は前記蓄電素子が設置されている場所毎に、要求するステップ、及び
要求に応じて送信された前記システム又は場所における蓄電素子の階層構造に対応して遷移する複数の画面を含み、各画面に含まれる前記蓄電素子を含むシステム、又は前記蓄電素子が設置されている場所の画像と、該画像における前記蓄電素子が収容された一又は複数のコンテナ、設置された建物、設置された部屋、写っている位置、又は描かれている位置に重畳されており、前記蓄電素子の階層毎に導出された前記蓄電素子の状態を前記複数の画面それぞれで示すグラフィックとを含む状態画面の画面情報に基づき、前記状態画面を前記表示部に表示するステップ
を実行させるコンピュータプログラム。
【請求項７】
蓄電素子の情報及びパワーコンディショナ若しくは充放電器である電源関連装置の情報を、外部からの要求に応じて、又はイベントとして、送信する情報処理装置であって、
相互に関連して動作する、前記蓄電素子及び前記電源関連装置の状態を含む情報を通信により取得する取得部と、
取得した情報を、前記蓄電素子及び前記電源関連装置それぞれを識別する情報と対応付けて記憶媒体に記憶する記憶処理部と、
前記記憶媒体に記憶してある情報に基づいて、前記蓄電素子及び前記電源関連装置を含むシステム、又は、前記蓄電素子及び前記電源関連装置が設置されている場所の画像、並びに、該画像に重畳されて前記蓄電素子の状態を表すグラフィック及び系統連系の状態又は前記パワーコンディショナの状態を含む電源関連装置の状態を表すグラフィック、を含む状態画面の画面情報を送信する送信処理部と
を備える情報処理装置。
【請求項８】
前記画像は、前記システム又は場所における前記蓄電素子及び前記電源関連装置を俯瞰又は鳥瞰する平面図若しくは斜視図であるか、又は、俯瞰又は鳥瞰して撮影した写真画像である
請求項７に記載の情報処理装置。
【請求項９】
（削除）
【請求項１０】
蓄電素子及びパワーコンディショナ若しくは充放電器である電源関連装置に接続又は搭載されている通信デバイスと、該通信デバイスと通信接続が可能な情報処理装置とを含み、
該情報処理装置は、
相互に関連して動作する、前記蓄電素子及び前記電源関連装置の状態を含む情報を、前記通信デバイスを介して取得する取得部と、
取得した情報を、前記蓄電素子及び前記電源関連装置それぞれを識別する情報と対応付けて記憶媒体に記憶する記憶処理部と、
要求に応じて、又はイベントとして、前記記憶媒体に記憶してある情報に基づき、前記蓄電素子及び前記電源関連装置を含むシステム、又は、前記蓄電素子及び前記電源関連装置が設置されている場所の画像、並びに、該画像に重畳されて前記蓄電素子の状態を表すグラフィック及び系統連系の状態又は前記パワーコンディショナの状態を含む前記電源関連装置の状態を表すグラフィック、を含む状態画面の画面情報を送信する送信処理部と
を備える情報処理システム。
【請求項１１】
蓄電素子の情報及びパワーコンディショナ若しくは充放電器である電源関連装置の情報を、情報処理装置が要求に応じて、又はイベントとして、送信する情報処理方法であって、
相互に関連して動作する、前記蓄電素子及び前記電源関連装置に接続又は搭載されている通信デバイスを用いて、前記蓄電素子及び前記電源関連装置の状態を含む情報を通信により取得し、
取得した情報を、前記蓄電素子及び前記電源関連装置それぞれを識別する情報と対応付けて記憶媒体に記憶し、
前記記憶媒体に記憶してある情報に基づき、前記蓄電素子及び前記電源関連装置を含むシステム、又は、前記蓄電素子及び前記電源関連装置が設置されている場所の画像、並びに、該画像に重畳されて前記蓄電素子の状態を表すグラフィック及び系統連系の状態又は前記パワーコンディショナの状態を含む前記電源関連装置の状態を表すグラフィック、を含む状態画面の画面情報を送信する  情報処理方法。
【請求項１２】
表示部を備えるコンピュータに、蓄電素子の情報及びパワーコンディショナ若しくは充放電器である電源関連装置の情報を表示させるコンピュータプログラムであって、
前記コンピュータに、
相互に関連して動作する、前記蓄電素子及び前記電源関連装置の情報を、前記蓄電素子及び前記電源関連装置を含むシステム毎、又は前記蓄電素子及び前記電源関連装置が設置されている場所毎に、要求するステップ、並びに
要求に応じて送信され、前記システム又は場所の画像、並びに、該画像に重畳されて前記蓄電素子の状態を表すグラフィック及び系統連系の状態又は前記パワーコンディショナの状態を含む前記電源関連装置の状態を表すグラフィック、を含む状態画面の画面情報に基づき、前記状態画面を前記表示部に表示するステップ
を実行させるコンピュータプログラム。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
複数の蓄電セルを含むモジュールを複数接続して構成された蓄電素子の情報を、外部からの要求に応じて、又はイベントとして、送信する情報処理装置であって、
前記蓄電素子の状態を含む情報を通信により取得する取得部と、
取得した情報を、前記蓄電素子を識別する情報と対応付けて記憶媒体に記憶する記憶処理部と、
前記記憶媒体に記憶してある情報に基づいて、前記蓄電素子を含むシステム、又は前記蓄電素子が設置されている場所の画像と、該画像における前記蓄電素子が収容された一又は複数のコンテナ、前記蓄電素子が設置された建物、設置された部屋、写っている位置、又は描かれている位置に重畳されて、前記蓄電素子の状態を示すグラフィックと、を含む状態画面の画面情報を送信する送信処理部と
を備え、
前記状態画面は、前記蓄電素子の階層構造に対応して遷移する複数の画面を含み、
該複数の画面の内、下位の階層の画面は、その階層の前記蓄電素子が設置されている場所の画像と、階層毎に導出されて該画像に重畳された前記グラフィックと、を含む
情報処理装置。
【請求項２】
前記グラフィックは、前記システム又は場所における蓄電素子の状態に対応する色、形、又はイラストを含む
請求項１に記載の情報処理装置。
【請求項３】
前記状態画面における前記蓄電素子が写っている位置、又は、描かれている位置は、画像毎に、画像内の相対位置で記憶してある
請求項１又は請求項２に記載の情報処理装置。
【請求項４】
複数の蓄電セルを含むモジュールを複数接続して構成された蓄電素子に接続、又は搭載されている通信デバイスと、該通信デバイスと通信接続が可能な情報処理装置とを含み、
該情報処理装置は、
前記蓄電素子の状態を含む情報を通信により取得する取得部と、
取得した情報を、前記蓄電素子を識別する情報と対応付けて記憶媒体に記憶する記憶処理部と、
前記記憶媒体に記憶してある情報に基づいて、前記蓄電素子を含むシステム、又は前記蓄電素子が設置されている場所の画像と、該画像における前記蓄電素子が収容された一又は複数のコンテナ、前記蓄電素子が設置された建物、設置された部屋、写っている位置、又は描かれている位置に重畳されて、前記蓄電素子の状態を示すグラフィックと、を含む状態画面の画面情報を送信する送信処理部と
を備え、
前記状態画面は、前記蓄電素子の階層構造に対応して遷移する複数の画面を含み、
該複数の画面の内、下位の階層の画面は、その階層の前記蓄電素子が設置されている場所の画像と、階層毎に導出されて該画像に重畳された前記グラフィックと、を含む
情報処理システム。
【請求項５】
複数の蓄電セルを含むモジュールを複数接続して構成された蓄電素子の情報を、情報処理装置が要求に応じて、又はイベントとして、送信する情報処理方法であって、
前記蓄電素子に接続又は搭載されている通信デバイスを用いて、前記蓄電素子の状態を含む情報を通信により取得し、
取得した情報を、前記蓄電素子を識別する情報と対応付けて記憶媒体に記憶し、
記憶した各蓄電素子の情報から、前記蓄電素子の階層構造に対応する階層毎に、前記蓄電素子の状態を導出し、
前記蓄電素子を含むシステム、又は前記蓄電素子が設置されている場所の画像と、該画像における前記蓄電素子が収容された一又は複数のコンテナ、前記蓄電素子が設置された建物、設置された部屋、写っている位置、又は描かれている位置に重畳されて、記憶してある情報に基づき、階層毎に導出された前記蓄電素子の状態を示すグラフィックと、を含み、蓄電素子の階層構造に対応して遷移する複数の画面で前記蓄電素子の状態を示す状態画面の画面情報を送信し、
前記複数の画面の内、下位の階層の画面は、その階層の前記蓄電素子が設置されている場所の画像と、階層毎に導出されて該画像に重畳された前記グラフィックと、を含む
情報処理方法。
【請求項６】
表示部を備えるコンピュータに、複数の蓄電セルを含むモジュールを複数接続して構成された蓄電素子の情報を表示させるコンピュータプログラムであって、
前記コンピュータに、
前記蓄電素子の情報を、該蓄電素子を含むシステム毎、又は前記蓄電素子が設置されている場所毎に、要求するステップ、及び
要求に応じて送信された前記システム又は場所における蓄電素子の階層構造に対応して遷移する複数の画面を含み、各画面に含まれる前記蓄電素子を含むシステム、又は前記蓄電素子が設置されている場所の画像と、該画像における前記蓄電素子が収容された一又は複数のコンテナ、前記蓄電素子が設置された建物、設置された部屋、写っている位置、又は描かれている位置に重畳されて、前記蓄電素子の階層毎に導出された前記蓄電素子の状態を前記複数の画面それぞれで示すグラフィックとを含む状態画面の画面情報に基づき、前記状態画面を前記表示部に表示するステップ
を実行させ、
前記複数の画面の内、下位の階層の画面は、その階層の前記蓄電素子が設置されている場所の画像と、階層毎に導出されて該画像に重畳された前記グラフィックと、を含む
コンピュータプログラム。
【国際調査報告】
2020189499.tif 000024
2020189499.tif 000025
2020189499.tif 000026
2020189499.tif 000027